【手続補正書】
【提出日】平成20年5月13日(2008.5.13)
【手続補正１】
【補正対象書類名】明細書
【補正対象項目名】特許請求の範囲
【補正方法】変更
【補正の内容】
【特許請求の範囲】
【請求項１】  オーディオ・データ・ソースからオーディオ・データを復元するためのオーディオ・データ復元装置と、音声発生装置と、オーディオ処理制御データのユーザ入力用のユーザ選択装置とを備える統合型オーディオ再生システムであって、前記システムが、オーディオ処理ユニットを含み、前記オーディオ処理ユニットが、集積回路上に提供され、前記データ復元装置と、前記音声発生装置と、前記ユーザ選択装置とに接続されているディジタル・プロセッサを備え、前記データ復元装置から入力オーディオ・データを受信し、前記オーディオ処理制御データに従ってディジタル領域において前記入力オーディオ・データを処理し、オーディオ出力信号を生成し、前記オーディオ出力信号を前記音声発生装置に供給し、前記オーディオ・データ復元装置の少なくとも１つの電子機械的機能を制御するように構成され、
前記オーディオ再生システムが第２のオーディオ・データ・ソースからオーディオ・データを復元するための第２のデータ復元装置と、前記データ復元装置の１つのユーザ選択のためのユーザ選択装置とを含み、前記第２のデータ復元装置および前記ユーザ選択装置が前記オーディオ処理ユニットに接続されていて、前記オーディオ出力信号を生成するために、前記ディジタル・プロセッサが前記ユーザ選択装置によって選択された前記第１のデータ復元装置または前記第２のデータ復元装置の１つから受信した入力オーディオ・データを処理することができることを特徴とする統合型オーディオ再生システム。
【請求項２】  請求項１に記載の統合型オーディオ再生システムにおいて、前記データ復元装置の１つがアナログ・データ・ソースからオーディオ・データを復元することができることを特徴とする統合型オーディオ再生システム。
【請求項３】  請求項２に記載の統合型オーディオ再生システムにおいて、前記オーディオ処理ユニットが前記アナログ・データ・ソースから復元されたアナログ・オーディオ・データを前記ディジタル・プロセッサによって処理するためのディジタル・オーディオ・データに変換するためのアナログ−ディジタル変換器を含むことを特徴とする統合型オーディオ再生システム。
【請求項４】  請求項３に記載の統合型オーディオ再生システムにおいて、前記アナログ−ディジタル変換器が前記集積回路上に提供されることを特徴とする統合型オーディオ再生システム。
【請求項５】  請求項３に記載の統合型オーディオ再生システムにおいて、前記アナログ−ディジタル変換器が第２の集積回路上に提供されることを特徴とする統合型オーディオ再生システム。
【請求項６】  請求項２乃至５の何れかに記載の統合型オーディオ再生システムにおいて、前記第１のデータ復元装置が無線受信機またはカセット・プレーヤ／レコーダであることを特徴とする統合型オーディオ再生システム。
【請求項７】  請求項２乃至６の何れかに記載の統合型オーディオ再生システムにおいて、前記データ復元装置のうちの第２の装置が、ディジタル・データ・ソースからオーディオ・データを復元することができることを特徴とする統合型オーディオ再生システム。
【請求項８】  請求項７に記載の統合型オーディオ再生システムにおいて、前記ディジタル・プロセッサが前記データ復元装置のうちの前記第２の装置からディジタル形式でオーディオ・データを受信するように接続されていることを特徴とする統合型オーディオ再生システム。
【請求項９】  請求項７または８に記載の統合型オーディオ再生システムにおいて、前記第２のデータ復元装置がコンパクト・ディスク・プレーヤ、ディジタル・ビデオ・ディスク・プレーヤ、ＭＰ３プレーヤまたはミニディスク・プレーヤであることを特徴とする統合型オーディオ再生システム。
【請求項１０】  請求項１乃至９の何れかに記載の統合型オーディオ再生システムにおいて、前記音声発生装置が、増幅器と、少なくとも１つの音声発生器とを含むことを特徴とする統合型オーディオ再生システム。
【請求項１１】  請求項１０に記載の統合型オーディオ再生システムにおいて、前記音声発生器がラウドスピーカであることを特徴とする統合型オーディオ再生システム。
【請求項１２】  請求項１０または１１に記載の統合型オーディオ再生システムにおいて、前記増幅器がＤ級増幅器であり、前記オーディオ出力信号がＤ級信号であることを特徴とする統合型オーディオ再生システム。
【請求項１３】  請求項１０または１１に記載の統合型オーディオ再生システムにおいて、前記増幅器がアナログ増幅器であり、前記オーディオ処理ユニットがディジタル・オーディオ信号をアナログ領域へ変換して前記オーディオ出力信号を形成するディジタル−アナログ変換器を含むことを特徴とする統合型オーディオ再生システム。
【請求項１４】  請求項１３に記載の統合型オーディオ再生システムにおいて、前記ディジタル・プロセッサが提供されている前記集積回路上に前記ディジタル−アナログ変換器が提供されることを特徴とする統合型オーディオ再生システム。
【請求項１５】  請求項１３に記載の統合型オーディオ再生システムにおいて、前記ディジタル−アナログ変換器が第２の集積回路上に提供されることを特徴とする統合型オーディオ再生システム。
【請求項１６】  請求項５に従属する請求項１５に記載の統合型オーディオ再生システムにおいて、前記ディジタル−アナログ変換器および前記アナログ−ディジタル変換器が、同じ集積回路上に提供されることを特徴とする統合型オーディオ再生システム。
【請求項１７】  請求項１乃至１６の何れかに記載の統合型オーディオ再生システムにおいて、前記ディジタル・プロセッサを搭載している前記集積回路が、前記データ復元装置と、前記音声発生装置と、前記ユーザ選択装置と、前記ユーザ入力装置と、前記ユーザ出力装置とに直接接続されていることを特徴とする統合型オーディオ再生システム。
【請求項１８】  請求項１乃至１６の何れかに記載の統合型オーディオ再生システムにおいて、前記オーディオ処理ユニットが、各データ復元装置と前記集積回路との間に接続されている前処理セクションを備え、前記前処理セクションが前記データ復元装置からのオーディオ信号のアナログ領域における前処理を実行して前記入力オーディオ・データを生成するためのアナログ回路を備えることを特徴とする統合型オーディオ再生システム。
【請求項１９】  請求項１８に記載の統合型オーディオ再生システムにおいて、前記前処理セクションが前記アナログ回路の動作を制御するためのコントローラ・ユニットを有し、前記コントローラ・ユニットがシリアル・インタフェースによって前記ディジタル・プロセッサに接続されていて、前記コントローラ・ユニットによって前記ディジタル・プロセッサが前記コントローラ・ユニットの動作を制御することができることを特徴とする統合型オーディオ再生システム。
【請求項２０】  請求項１９に記載の統合型オーディオ再生システムにおいて、前記コントローラ・ユニットが前記アナログ回路の制御ステータスを記憶するための複数のステータス記憶装置と、前記ディジタル・プロセッサから信号を受信し、それらの信号に依存して前記ステータス記憶装置を設定するためのシリアル・インタフェースに接続されている入力ポートと、前記ステータス記憶装置のステータスに依存して前記アナログ回路に対する制御信号を生成するための出力ポートと、を含むことを特徴とする統合型オーディオ再生システム。
【請求項２１】  請求項１８乃至２０の何れかに記載の統合型オーディオ再生システムにおいて、前記前処理セクションが前記ディジタル・プロセッサと同じ集積回路上に提供されることを特徴とする統合型オーディオ再生システム。
【請求項２２】  請求項１８乃至２０の何れかに記載の統合型オーディオ再生システムにおいて、前記前処理セクションがさらにもう１つの集積回路上に提供されることを特徴とする統合型オーディオ再生システム。
【請求項２３】  請求項１乃至２２の何れかに記載の統合型オーディオ再生システムにおいて、前記ディジタル・プロセッサが、ディジタル領域において前記入力オーディオ・データを処理し、前記入力オーディオ・データについて周波数等化を実行するように構成されていることを特徴とする統合型オーディオ再生システム。
【請求項２４】  請求項１乃至２３の何れかに記載の統合型オーディオ再生システムにおいて、前記周波数等化が、前記第１のデータ復元装置または前記第２のデータ復元装置のどれが前記ユーザ選択装置によって選択されているかに依存することを特徴とする統合型オーディオ再生システム。
【請求項２５】  請求項２３または２４に記載の統合型オーディオ再生システムにおいて、前記ディジタル・プロセッサが、無線信号成形のために無線信号周波数等化を実行することができることを特徴とする統合型オーディオ再生システム。
【請求項２６】  請求項２３乃至２５の何れかに記載の統合型オーディオ再生システムにおいて、前記ディジタル・プロセッサが、カセット・テープ信号成形のために周波数等化を実行することができることを特徴とする統合型オーディオ再生システム。
【請求項２７】  請求項２６に記載の統合型オーディオ再生システムにおいて、前記データ復元装置がカセット・デッキであり、前記カセット・デッキは前記カセット・デッキで使用されているカセットのタイプを検出し、カセット・タイプ信号を前記検出に依存して前記オーディオ処理ユニットに提供することができ、前記オーディオ処理ユニットが前記カセット・タイプ信号に依存して周波数等化を実行することができることを特徴とする統合型オーディオ再生システム。
【請求項２８】  請求項２６に記載の統合型オーディオ再生システムにおいて、前記オーディオ再生システムがカセット・タイプ情報のユーザ入力のために前記オーディオ処理ユニットに接続されているユーザ入力装置を含み、前記オーディオ処理ユニットが前記カセット・タイプ情報に依存して周波数等化を実行することができることを特徴とする統合型オーディオ再生システム。
【請求項２９】  請求項１乃至２８の何れかに記載の統合型オーディオ再生システムトにおいて、前記データ復元装置の１つがオーディオ信号を記録することができるカセット・デッキであって、前記オーディオ処理ユニットが、前記入力オーディオ・データをディジタル領域において処理してカセット出力信号を生成し、前記カセット出力信号を記録するために前記カセット・デッキに提供することができることを特徴とする統合型オーディオ再生システム。
【請求項３０】  請求項２９に記載の統合型オーディオ再生システムにおいて、前記オーディオ処理ユニットがディジタル・オーディオ信号をアナログ領域に変換して前記カセット出力信号を形成するためのディジタル−アナログ変換器を含むことを特徴とする統合型オーディオ再生システム。
【請求項３１】  請求項３０に記載の統合型オーディオ再生システムにおいて、前記ディジタル−アナログ変換器が前記処理ユニットが提供されているのと同じ集積回路上に提供されることを特徴とする統合型オーディオ再生システム。
【請求項３２】  請求項３に従属する請求項３０に記載の統合型オーディオ再生システムにおいて、前記ディジタル−アナログ変換器が前記アナログ−ディジタル変換器から異なる集積回路上に提供されることを特徴とする統合型オーディオ再生システム。
【請求項３３】  請求項１乃至３２の何れかに記載の統合型オーディオ再生システムにおいて、前記ディジタル・プロセッサがソフトウェア制御下で動作できることを特徴とする統合型オーディオ再生システム。
【請求項３４】  請求項１乃至３３の何れかに記載の統合型オーディオ再生システムにおいて、前記ディジタル・プロセッサが、受信したオーディオ信号の誤り訂正を実行するように構成されていることを特徴とする統合型オーディオ再生システム。
【請求項３５】  請求項３４に記載の統合型オーディオ再生システムにおいて、前記オーディオ処理ユニットが、シンドローム・データを前記オーディオ処理ユニットに提供するために、前記ディジタル・プロセッサに応答するシンドローム計算ユニットを含むことを特徴とする統合型オーディオ再生システム。
【請求項３６】  請求項１乃至３５の何れかに記載の統合型オーディオ再生システムにおいて、前記処理ユニットが、受信したオーディオ信号のデインターリービングを実行するように構成されていることを特徴とする統合型オーディオ再生システム。
【請求項３７】  請求項３６に記載の統合型オーディオ再生システムにおいて、受信したオーディオ信号を格納するための前記処理ユニットにアクセス可能なバッファ・ユニットを含み、前記バッファ・ユニットが３つのバッファを含み、前記バッファ・ユニットが、受信したデータを連続しているバッファに格納し、データを現在格納しているバッファを前記処理ユニットにアクセス不可能にするように構成されていることを特徴とする統合型オーディオ再生システム。
【請求項３８】  請求項１乃至３７の何れかに記載の統合型オーディオ再生システムにおいて、前記電子機械的機能が、前記オーディオ・データ・ソースに対して相対的に読取ヘッドを位置決めすることであることを特徴とする統合型オーディオ再生システム。
【請求項３９】  請求項１乃至３７の何れかに記載の統合型オーディオ再生システムにおいて、前記電子機械的機能がデータ・ソースの移動を含むことを特徴とする統合型オーディオ再生システム。
【請求項４０】  請求項３９に記載の統合型オーディオ再生システムにおいて、前記電子機械的機能がデータ・ソースの移動速度の制御であることを特徴とする統合型オーディオ再生システム。
【請求項４１】  請求項１乃至４０の何れかに記載の統合型オーディオ再生システムにおいて、前記電子機械的機能がソフトウェア制御下で実行されることを特徴とする統合型オーディオ再生システム。